(57)【要約】【課題】特殊なテーブルを使用せずに、載置面に載置してキャスターの照明用として使用したとした場合に、撮影された映像上では存在感を小さくすることができる放送用照明器具を提供する。【解決手段】キャスターライト１は、有機エレクトロルミネッセンス素子を光源とする面発光装置が筐体２０内に組み込まれている。筐体２０の底壁外面２３は、テレビカメラで撮影される状態で載置面に載置して用いた場合に、テレビカメラによる映像上において、前記載置面と見分けにくい擬態面となる鏡面４０に形成されている。【選択図】      図２
2006324211.tif 000002
【特許請求の範囲】
【請求項１】
載置面に載置して人物等を照明する放送用照明器具であって、エレクトロルミネッセンス素子を光源とする発光装置が筐体内に組み込まれ、前記筐体は、前記発光装置の発光面とは反対側となる底壁外面を有し、前記底壁外面がテレビカメラで撮影される状態で載置面に載置して用いた場合に、テレビカメラによる映像上において、前記底壁外面が、前記載置面と見分けにくい擬態面を有することを特徴とする放送用照明器具。
【請求項２】
前記擬態面は、鏡面である請求項１に記載の放送用照明器具。
【請求項３】
前記エレクトロルミネッセンス素子は、有機エレクトロルミネッセンス素子である請求項１又は請求項２に記載の放送用照明器具。
【発明の詳細な説明】
【技術分野】
【０００１】
本発明は、載置面に載置され、撮影の際に人物等を照明する放送用照明器具に関する。
【背景技術】
【０００２】
スタジオ用の照明器具として、特許文献１に示されるような発光ダイオードを光源とする発光部を備えたものが知られている。この照明器具は、スタジオの上方からスタジオ内を照明するもので、支持アームに対して照明装置本体を回動させて照明の向きを変更することができる。ところで、特許文献１のような照明器具は、スタジオ全体を上方から照明するものであって、例えば、ニュース番組においてニュースキャスター（以下、単にキャスターと記す。）の顔そのものを照明するには不向きである。そこで、従来から、テーブル上に照明器具を置くなどして、その照明器具によって下方からキャスターの顔を直接照明して、キャスターの表情を明瞭にすることが行われている。こうした照明器具として蛍光灯を内蔵した箱状のものが用いられている。この照明器具は、キャスターライトと呼ばれており、横幅２０ｃｍ、高さ１０〜１５ｃｍ、奥行き１５〜２０ｃｍ程度の大きさである。
【特許文献１】特開２００４−３４２３９２号公報
【発明の開示】
【発明が解決しようとする課題】
【０００３】
キャスターを照明器具によって照明するという演出は、テレビカメラで撮影される映像上、その照明器具の存在を解らなくすることが好ましい。同様に、テーブル上に置かれる放送用照明器具によってキャスターの顔等が照明されているという演出も解らないようにすることが好ましい。これは、照明による演出効果を得て映像の質を高める一方、撮影される映像からは照明による演出効果の存在を排除することで、その映像に、演出されたものでない自然なものであるかのような雰囲気を与えられるからである。従来のキャスターライトは、テーブル上に置かれた状態で使用すると、テレビカメラで撮影された際に目立つ。そこで、その存在が解らないようにするために、例えば、次のような方策が取られている。
【０００４】
第１の方策は、キャスター側が低くなるような段差をテーブルに設け、その段差部分に照明器具を置くことで、テレビカメラで撮影した際にキャスターライトの存在を解りにくくするという方策である。第２の方策は、テーブルに衝立を設けることによってキャスターライトの存在を隠し、撮影される映像からキャスターライトの存在を解らないようにするという方策である。第３の方策は、ガラス製のテーブルを用い、テーブルの下面にキャスターライトを取り付けることでテーブル上にキャスターライトが存在しないようにするという方策である。
【０００５】
これら従来の方策は、いずれもキャスターライトがセットできる特殊なテーブルを用意する必要がある。単なるテーブルではテーブル上に置かれるキャスターライトを映像上、その存在が解りにくくすることはできなかったのである。したがって、従来は、キャスターライトと特殊なテーブルとで一組の器具として機能していた。
【０００６】
本発明は、こうした事情に鑑みてなされたものであり、その目的は、特殊なテーブルを使用せずに、載置面に載置してキャスターの照明用として使用した場合に、撮影された映像上では存在感を小さくすることができる放送用照明器具を提供することにある。
【課題を解決するための手段】
【０００７】
請求項１に係る発明は、放送用照明器具であって、エレクトロルミネッセンス素子を光源とする発光装置が筐体内に組み込まれ、前記筐体は、前記発光装置の発光面とは反対側となる底壁外面を有し、前記底壁外面がテレビカメラで撮影される状態で載置面に載置して用いた場合に、テレビカメラによる映像上において、前記底壁外面が、前記載置面と見分けにくい擬態面を有することを要旨とする。
【０００８】
本発明の放送用照明器具は、ニュース番組においては、照明器具の機能上、載置面から斜め上方に向けて照明するように使用されるのが一般的である。こうした使用時に、テレビカメラによって筐体の底壁外面がテレビカメラで撮影される。この時、撮影された映像上において、筐体は、底壁外面が、載置面と見分けにくい擬態面を有している。したがって、この発明では、実際は、放送用照明器具が撮影されているのであるが、テレビカメラによって撮影された映像上では、放送用照明器具の筐体と載置面とは見分けがしにくいため、映像上における放送用照明器具の存在感をより小さくすることを可能にする。
【０００９】
また、本発明の放送用照明器具では、光源としてエレクトロルミネッセンス素子を用いているので、放送用照明器具自体を薄型にすることができる。したがって、例えば、放送用照明器具が横からテレビカメラで撮影されても、映像上、目立たない。
【００１０】
請求項２に係る発明では、請求項１に係る発明において、前記擬態面は、鏡面であることを要旨とする。
上で述べたとおり、本発明の放送用照明器具では、使用時、擬態面としての鏡面は、載置面に向けられる。そのため、鏡面には載置面が映し出されているから、テレビカメラによる撮影では、載置面が映っている鏡面と載置面との見分けがしにくい。
【００１１】
請求項３に係る発明では、請求項１又は請求項２に係る発明において、前記エレクトロルミネッセンス素子は、有機エレクトロルミネッセンス素子であることを要旨とする。
この発明では、有機エレクトロルミネッセンス素子を光源としているため、無機エレクトロルミネッセンス素子を光源とした場合に比べて、低い駆動電圧で発光装置を駆動することができる。
【発明の効果】
【００１２】
本発明によれば、特殊なテーブルを使用せずに、載置面に載置してキャスターの照明用として使用した場合に、撮影された映像上では存在感を小さくすることができる。
【発明を実施するための最良の形態】
【００１３】
以下、本発明を具体化した一実施形態を図１、図２に従って説明する。図１は、発光面側から見た放送用照明器具の概略斜視図、図２は、発光面とは反対側となる筐体の底壁外面側から見た放送用照明器具の概略斜視図である。
【００１４】
図１、図２に示すように、放送用照明器具としてのキャスターライト１は、照明ユニット１０と支持部５０とから構成されている。照明ユニット１０は、筐体２０と、発光装置３０とを主構成として備えており、発光装置３０は、筐体２０内に組み込まれている。
【００１５】
筐体２０は、収容部２１及び蓋部２２を備えている。筐体２０は、例えば厚さが１０ｍｍ以下で、使用時の幅が２５０ｍｍ、高さが１００ｍｍ程度の大きさに形成されている。収容部２１は、底壁外面２３と該底壁外面２３の周縁に沿って立設される側壁２４とを備えている。この側壁２４には、電源供給用のプラグ６０を差込むための、図示しないコネクタが形成されている。また、側壁２４には、支持部５０を連結するための連結突部が、キャスターライト１の使用時における左右両側の下端にそれぞれ設けられている。
【００１６】
蓋部２２は収容部２１を覆うように配置され、蓋部２２の外周縁は、側壁２４の先端に当接している。蓋部２２は、その中央に長方形状の開口窓２７を備えており、開口窓２７の各コーナー部に対応して貫通孔２５が形成されている。収容部２１と蓋部２２とは、ねじ２６を収容部２１に設けられた図示しないねじ穴に、貫通孔２５を貫通して螺合することで締結されている。
【００１７】
発光装置３０は、エレクトロルミネッセンス素子としての有機エレクトロルミネッセンス素子を光源とするものであり、蓋部２２の開口窓２７から発光面３１が露出するように、筐体２０内に組み込まれている。以下、エレクトロルミネッセンス素子をＥＬ素子という。発光装置３０は、コネクタから供給される電流によって駆動される。
【００１８】
支持部５０は、コ字状に形成されており、支持部５０の先端には、図示しない孔が設けられている。支持部５０は、筐体２０の連結突部を孔に挿入した状態で、スプリングワッシャを介してナット５１で締め付けることで取り付けられている。この支持部５０の取り付けは、照明ユニット１０を支持部５０に対して回動可能とするように構成するものである。支持部５０の大きさであるが、照明ユニット１０を回動させて支持部５０の内域に照明ユニット１０が配置できるように、照明ユニット１０全体よりもやや大きめに形成されることが好ましい。
【００１９】
以上のように構成された本実施形態の放送用照明器具の照明ユニット１０において、筐体２０の底壁外面２３、すなわち、発光装置３０の発光面３１と反対側となる面は、その全体が鏡面４０となっている。この鏡面４０は、擬態面として構成されるものである。また、図示しているのは一部であるが、鏡面４０には、筐体２０の長手方向に延びる微細な筋４１が鏡面４０の全体に設けられ、ヘアライン調になっている。
【００２０】
次に、前記のように構成されたキャスターライト１の作用を説明する。
なお、以下の説明では、図１に示されるような使用形態を基準として、「上方」、「下方」、発光面３１側を「前面側」、底壁外面２３側を「後面側」と述べることにする。
【００２１】
キャスターライト１は、ニュース番組の撮影時には、テレビカメラとキャスターの位置関係から、キャスターに対して発光面３１が向く状態で、載置面としてのテーブルの表面に載置され、筐体２０の後面はテレビカメラの方に向く状態で使用される。つまり、照明ユニット１０は仰角方向に傾けられるため、鏡面４０は、テーブルと向き合う。その結果、鏡面４０にはテーブルの表面が映り、テレビカメラによって撮影された映像上では、筐体２０の後面である鏡面４０とテーブルとの見分けがしにくくなる。したがって、実際には、キャスターライト１が撮影されているのであるが、撮影された映像上では単にテーブルのみが存在しているかのようになって、キャスターライト１の存在感が小さくなる。
【００２２】
照明ユニット１０は、支持部５０に対して所望の角度をなす位置で保持されている。キャスターライト１の仰角方向の照明角度は、照明ユニット１０と支持部５０とのなす角度を調節することで調節される。ここで、「仰角」とは、照明ユニット１０が水平な載置面に対して垂直となっているときを基準として、照明ユニット１０が上側に向くときの、照明ユニット１０が成す角度を意味する。照明角度の調節は、支持部５０を固定して、照明ユニット１０を回動させて行う。
【００２３】
この実施形態では以下の効果を奏する。
（１）擬態面としての鏡面４０が筐体２０の底壁外面２３に形成され、鏡面４０はテーブルの表面を映すため、テレビカメラによって撮影した映像上では、鏡面４０とテーブルとは見分けがしにくい。したがって、特殊なテーブルを使用せずに、載置面に載置してキャスターの照明用として使用したとした場合に、撮影された映像上では存在感を小さくすることができる。また、照明による演出効果を得て映像の質を高める一方、撮影される映像に、演出されたものでない自然なものであるかのような雰囲気を与えることができる。
【００２４】
（２）筐体２０が有する擬態面は、筐体２０の底壁外面２３に設けられる鏡面４０として構成されている。鏡面４０は、載置されたテーブル表面を映して擬態面として機能するため、載置面であるテーブルの色彩、模様等に左右されることがなく、テーブルと見分けがしにくい状態となる。したがって、特定のテーブルだけでなく、いずれのテーブルに載置して使用しても筐体２０の底壁外面２３を擬態面として機能させることができる。
【００２５】
（３）鏡面４０は、ヘアライン調に構成されているため、スタジオ照明によって鏡面４０に照明が照射された場合においても、鏡面４０の照明の反射を抑制することができる。したがって、スタジオ照明によって鏡面４０が照り輝くことはないため、鏡面４０の存在感をより小さくすることができる。
【００２６】
（４）発光装置３０は、ＥＬ素子を光源としている。したがって、キャスターが光源を直視してもまぶしくなく、キャスターを照らすキャスターライト１として好適に使用できる。さらに、照明する際に生じる発熱が蛍光灯等より低いため、キャスターの近くに載置したとしても、キャスターが不快感を感じることは少ない。また、キャスターライト１の厚さ（使用時の奥行き）が従来のものに比較して１／１５以下になるため、仮にキャスターライト１の横からテレビカメラが撮影しても、映像上、目立たない。
【００２７】
（５）発光装置３０は、ＥＬ素子として有機ＥＬ素子を使用している。したがって、無機ＥＬ素子を使用した場合に比べて、低い駆動電圧で発光装置３０を駆動することができる。
【００２８】
（６）ねじ２６は、筐体２０の前面側から螺入されて収容部２１のねじ穴に螺合されることで収容部２１と蓋部２２とを締結している。この構成によって、ねじ２６は前面側に配置されていることから、収容部２１の外面に締結部材が現れることはない。したがって、鏡面４０にねじ２６が配置されることに伴って、鏡面４０とテーブルとの見分けがしやすくなることを回避する。
【００２９】
なお、上記実施形態を次のように変更することもできる。
○  上記実施形態では、鏡面４０は、ヘアライン調に構成されていたがこれを変更してもよい。例えば、鏡面４０に設けられた長手方向に延びる微細な筋４１を省略し、光沢仕上げ等の加工を施して、まさに鏡のようにすることで擬態面としての鏡面４０を構成してもよい。
【００３０】
○  上記実施形態では、筐体２０の後面全体を鏡面４０としていたが、これを変更してもよい。例えば、筐体２０の底壁外面２３のほぼ全面、例えば９０％以上の面積を鏡面とし、この鏡面４０をもって擬態面を構成してもよい。
【００３１】
○  筐体２０の側壁２４も鏡面４０としてもよい。
○  支持部５０も擬態面としてもよい。
○  キャスターライト１は、撮影された映像上で存在感を小さくすることができればよく、使用時に、テレビカメラで筐体２０の底壁外面２３が撮影された際に、映像上で載置面であるテーブルと見分けがしにくければよい。上記実施形態では、筐体２０の底壁外面２３を鏡面４０とし、この鏡面４０をもって擬態面を形成していたが、これを変更してもよい。例えば、筐体２０の底壁外面２３を載置面と同様の色彩に塗装して、擬態面としてもよい。また、図３に示すように、載置面と同様の色彩となるような貼付材２８を用意し、それを筐体２０の底壁外面２３に貼付することで、筐体２０の底壁外面２３が擬態面となるように構成してもよい。
【００３２】
○  また、キャスターライト１は、映像上で存在感を小さくすることができればよく、
映像上でテーブルと見分けにくくする手法にかえて、キャスターの名札を兼ねる使用方法を採用してもよい。すなわち、筐体２０の底壁外面２３にキャスターの氏名を記載しておく。
【００３３】
○  上記実施形態では、筐体２０の開口窓２７から発光面３１が露出するように発光装置３０が筐体２０に組み込まれていたが、この開口窓２７に透明板を取り付けてもよい。
○  ねじ２６の配置を変更してもよい。例えば、蓋部２２にも側壁を設けるようにし、蓋部２２の側壁と収容部２１の側壁２４とが重合されるように構成し、その側壁にねじ２６を配置することが考えられる。この場合、ねじ２６を筐体２０内へ向けて螺合して側壁同士が締結できれば、収容部２１及び蓋部２２の一体化が実現される。また、収容部２１に貫通孔を、蓋部２２にねじ穴をそれぞれ設けて、筐体２０の後面にねじ２６を配置するようにしてもよい。
【００３４】
○  筐体２０を構成する収容部２１と蓋部２２とは、ねじ２６によって締結されていたが、その締結手段を変更してもよい。例えば、収容部２１及び蓋部２２を接着によって締結するようにしてもよいし、凹凸の係合関係が成立するように収容部２１及び蓋部２２を構成してもよい。
【００３５】
○  蓋部２２に側壁を設けてもよい。この場合、収容部２１の側壁２４を省略してもよいし、収容部２１及び蓋部２２の双方に側壁を設けるようにしてもよい。
○  発光装置３０の光源は、有機ＥＬ素子に限らず無機ＥＬ素子でもよい。
【００３６】
○  上記実施形態では、支持部５０はコ字状をなすように構成されていたがこれを変更してもよい。例えば、上記実施形態の支持部５０の長手部を省略して短手部のみの構成としてもよい。支持部５０は、照明ユニット１０を上向きに傾斜させた状態で保持できれば、その形状については、とくに限定されるものでない。したがって、支持部５０を省略する一方、筐体２０の下部を肉厚にし、その肉厚部を持って照明ユニット１０が所定の照明角度をとりうるように保持される構成に変更してもよい。
【００３７】
以下の技術的思想（発明）は前記実施の形態から把握できる。
載置面に載置して用いる放送用照明器具であって、エレクトロルミネッセンス素子を光源とする発光装置を筐体内に組み込み、前記筐体は鏡面を有する。
【００３８】
筐体は、締結手段によって締結される複数の部材から形成され、前記締結手段は、前記筐体の擬態面とは異なる面に配置されている。
【図面の簡単な説明】
【００３９】
【図１】本実施形態における前面側から見た放送用照明器具の概略斜視図。
【図２】本実施形態における後面側から見た放送用照明器具の概略斜視図。
【図３】別の実施形態における放送用照明器具の概略斜視図。
【符号の説明】
【００４０】
１…放送用照明器具としてのキャスターライト、１０…照明ユニット、２０…筐体、２１…収容部、２２…蓋部、２３…底壁外面、２６…ねじ、２７…開口窓、３０…発光装置、３１…発光面、４０…鏡面。
【図１】
2006324211.tif 000003
【図２】
2006324211.tif 000004
【図３】
2006324211.tif 000005